(57)【要約】【課題】  プラズマ表示装置を提供する。【解決手段】  所定間隔離隔されて配置された上下部基板(31,32)と、上下部の基板内面の多数の隔壁に区画された放電空間によって画像を再現する表示部(33)と、上下部基板間の間隔を維持しつつ上下部基板を支持するために表示部の外周と所定間隔離隔された位置に相互平行した複数の隔壁よりなり、複数の隔壁のうち少なくとも１つは一部が損傷されても残存した部分によって上下部基板の間の間隔が維持できる補強隔壁のダミー隔壁(34)と、上下部基板の外側を密封するシーリング手段(35)と、を具備する。【選択図】            図３
2004158432.tif 000002
【特許請求の範囲】
【請求項１】
所定間隔離隔されて配置された上下部基板と、
前記上下部基板の内面に形成され多数の隔壁に区画された放電空間によって画像を再現する表示部と、
前記上下部基板間の間隔を維持しつつ前記上下部基板を支持するために前記表示部の外周と所定間隔離隔された位置に相互平行した複数の隔壁よりなり、前記複数の隔壁のうちいずれか１つは一部が損傷されても残存した部分によって前記上下部基板の間の間隔が維持できる補強隔壁であるダミー隔壁と、
前記上下部基板の外側を密封するシーリング手段と、を具備するプラズマ表示装置。
【請求項２】
前記補強隔壁は所定形状の閉鎖型リングが多数連結されて形成されることを特徴とする請求項１に記載のプラズマ表示装置。
【請求項３】
前記閉鎖型リングは多角形の形状であることを特徴とする請求項２に記載のプラズマ表示装置。
【請求項４】
前記閉鎖型リングは円形であることを特徴とする請求項２に記載のプラズマ表示装置。
【請求項５】
前記ダミー隔壁は３列の相互平行した隔壁よりなることを特徴とする請求項１に記載のプラズマ表示装置。
【請求項６】
前記ダミー隔壁は１個の補強隔壁を含むことを特徴とする請求項１に記載のプラズマ表示装置。
【請求項７】
前記ダミー隔壁は２個の補強隔壁を両側に配置することを特徴とする請求項１に記載のプラズマ表示装置。
【請求項８】
前記ダミー隔壁は隣接した隔壁を相互連結する少なくとも１つの連結隔壁をさらに含むことを特徴とする請求項１に記載のプラズマ表示装置。
【請求項９】
前記ダミー隔壁は複数の折曲部を有する少なくとも１つの補強隔壁を含むことを特徴とする請求項１に記載のプラズマ表示装置。
【発明の詳細な説明】
【技術分野】
【０００１】
本発明はプラズマ表示装置に係り、より詳しくは、ダミー隔壁が改善されたプラズマ表示装置に関する。
【背景技術】
【０００２】
プラズマ表示装置は蛍光物質や特殊ガスを励起させることによって光を生じ、この光を利用して画像を形成するものであって、交流型と直流型及び混合型に大別されるが、図１にはこのようなプラズマ表示素子のうち交流型プラズマ表示素子の一例を示す。
【０００３】
図示したように、プラズマ表示素子は下部基板１０と、前記下部基板１０間に形成されたアドレス電極１１と、該アドレス電極１１が形成された下部基板１０上に形成された下部誘電体層１２と、該下部誘電体層１２上に形成されて放電距離を維持させ、セル間の電気的光学的クロストークを防止する隔壁１３を具備する。前記画素間のクロストークを防止する隔壁はストライプ状または格子状に形成できる。そして、前記隔壁１３が形成された下部基板１０と結合されるものであって、その下面に前記アドレス電極１１と直交するように形成された所定パターンの電極１４、１５と、それらが埋め込まれる上部誘電体層１６と、誘電体層の上面に形成されたＭｇＯ膜１７が形成された上部基板１８とを具備し、前記隔壁１３によって区画された放電空間内の少なくとも一側には蛍光体層が形成される。
【０００４】
前述したように構成されたプラズマ表示素子は、各電極に所定電圧が印加されるにつれて陽イオンが誘電体層１２に集積され、該イオンと前記電極１４、１５のうち１つの電極とアドレス電極１１間で予備的にトリガー放電が生じて荷電粒子が形成され、上部基板１８に形成された電極１４、１５間で主放電が生じる。前記主放電の時に生じる全ての光線によって蛍光体層が励起されて画像を形成する。このような画像を形成する領域を有効領域（図２の２２）とし、有効領域を構成する基板の内面を表示部（図２の２２ａ）と称する。
【０００５】
前記したプラズマ表示素子は前記のように上下部基板を完成した後で、上部及び下部基板１０、１８をシーリンググラス（図２の２１）を利用してシーリング結合させ、シール材を焼成及び乾燥した後、内部に放電ガスを吹き込んで完全に封着してプラズマ表示パネルを製造する。また、前記有効領域２２とシーリンググラス２１との間には前記上下部基板１０、１８の封着過程のうちクリップによって上下部基板１０、１８が繋ぎ合わされる時、支持台として使われ、また封着工程中に封着材内のバインダーやその他の物質が表示部に流れ込むことを防止するためのダミー隔壁２３が形成されている。従来、このようなダミー隔壁を３列または４列以上の平行した隔壁に形成しており、特許文献１には異常放電を減少させてダミー隔壁の強度を向上させるために表示部の外側に複数のダミー隔壁が形成されたプラズマ表示装置が開示されている。
【０００６】
前記のように構成されたダミー隔壁２３は上下部基板１０、１８の組立て時、クリップを装着する過程で上下部基板１０、１８の反りを防止してフリッツ（ｆｒｉｔ）のガス放出による上下部基板１０、１８内部の汚染を防止する役割を果たす。ところが、このようなダミー隔壁はサンド研磨過程で破損のおそれがあり、これはサンド研磨剤噴射圧が閉鎖型隔壁でおよそ１２〜１３％高いことに起因する。また前記のように構成されたダミー隔壁は同一幅で３列または４列に形成するので、表示部２２とダミー隔壁２３とが形成された領域間で研磨剤の渦流が生じ、このような渦流は表示領域に近いダミー隔壁をエッチングしてダミー隔壁を損傷させる。このようなダミー隔壁の破壊はダミー隔壁が担う荷重に耐えられず上下部基板の間隔を維持する役割を遂行できない。
【特許文献１】特開２００１−１６０３６０号公報
【発明の開示】
【発明が解決しようとする課題】
【０００７】
本発明が解決しようとする技術的な課題は、ダミー隔壁が改善されたプラズマ表示装置を提供するところにある。
【課題を解決するための手段】
【０００８】
前記技術的な課題を解決するために、本発明は所定間隔離隔されて配置された上下部基板と、前記上下部基板の内面の多数の隔壁に区画された放電空間によって画像を再現する表示部と、前記上下部基板間の間隔を維持して前記上下部基板を支持するために前記表示部の外周と所定間隔離隔された位置に相互平行した複数の隔壁よりなり、前記複数の隔壁のうち少なくとも１つは一部が損傷されても残存した部分によって前記上下部基板間の間隔を維持できる補強隔壁であるダミー隔壁と、前記上下部基板の外側を密封するシーリング手段とを具備するプラズマ表示装置を提供する。
【０００９】
本発明の前記補強隔壁は所定形状の閉鎖型リングが多数連結することによって形成でき、前記閉鎖型リングは多角形の形状か円形でありうる。
【００１０】
また、前記ダミー隔壁は３列の相互平行した隔壁よりなり、前記ダミー隔壁は１個の補強隔壁を含むことを特徴とする。
【００１１】
そして、前記ダミー隔壁は２個の補強隔壁を両側に配置できる。
【００１２】
また、前記ダミー隔壁は隣接した隔壁を相互連結する少なくとも１つの連結隔壁をさらに含むことができる。
【００１３】
また、前記ダミー隔壁は複数の折曲部を有する少なくとも１つの補強隔壁を含むことができる。
【発明の効果】
【００１４】
前記のように構成された本発明によるプラズマ表示装置は、補強隔壁を含んで構成されたダミー隔壁を有することによって、サンド研磨による損傷によってダミー隔壁の損傷を防止できる。
【００１５】
前記したように、本発明のプラズマ表示装置のダミー隔壁は、サンド研磨剤に対する耐エッチング性が補強され研磨剤の渦流によって一部の損傷があっても、与えられた機能が遂行できるプラズマ表示装置が提供できる。
【発明を実施するための最良の形態】
【００１６】
以下、図面に基づき、本発明を詳しく説明する。
【００１７】
図３には、本発明によるプラズマ表示装置の一実施の形態の斜視図が示されている。
【００１８】
図面を参照すれば、プラズマ表示装置３０は所定間隔離隔されて配置された上下部基板３１、３２と、前記上下部基板３１、３２の内面に形成され多数の隔壁に区画された放電空間によって画像を再現する表示部３３と、前記上下部基板３１、３２間の間隔を維持して前記上下部基板３１、３２を支持するために前記表示部３３の外周と所定間隔離隔された位置に相互平行した複数の隔壁よりなり、前記複数の隔壁のうち少なくとも１つは一部が損傷されても残存した部分によって前記上下部基板間の間隔を維持できる補強隔壁３４ａであるダミー隔壁３４と、前記上下部基板３１、３２の外側を密封するシーリング手段３５とを具備する。
【００１９】
図３に示す実施の形態のダミー隔壁３４は表示部３３に平行して３列設けられ、相互平行した隔壁に構成されており、隔壁の数は４列以上になっても構わない。前記３列の隔壁のうち表示部３３に最も隣接した隔壁が補強隔壁３４ａであって他の２つの隔壁３４ｂが単なる長方形の隔壁であるのに比べて平面形状が五角形よりなる連続したリングで構成されている。このように一定した平面的面積を占める隔壁を形成することによってサンド研磨過程で誘発される表示部３３と近い部分がエッチングされても五角形を形成する他の部分によってその構造的な強度が維持でき、残りの２つの隔壁が損傷されることを防止する。
【００２０】
図４には、本発明によるプラズマ表示装置のさらに他の実施の形態の斜視図が示されている。
【００２１】
図面を参照すれば、プラズマ表示装置４０は所定間隔離隔されて配置された上下部基板４１、４２と、前記上下部基板４１、４２の内面に形成され多数の隔壁に区画された放電空間によって画像を再現する表示部４３と、前記上下部基板４１、４２間の間隔を維持して前記上下部基板４１、４２を支持するために前記表示部４３の外周と所定間隔離隔された位置に相互平行した複数の隔壁よりなり、前記複数の隔壁のうち少なくとも１つは一部が損傷されても残存した部分によって前記上下部基板間の間隔を維持できる補強隔壁４４ａであるダミー隔壁４４と、前記上下部基板４１、４２の外側を密封するシーリング手段４５とを具備することは前述した実施の形態と同じである。
【００２２】
図４に示す実施の形態のダミー隔壁４４は表示部４３に３列の相互平行した隔壁により構成されており、隔壁の数は４列以上になっても構わない。前記３列の隔壁のうち表示部４３に最も隣接した隔壁と最も遠く離れた隔壁とが補強隔壁４４ａであって両補強隔壁４４ａの間に単純な長方形の隔壁３４ｂを含む。このような補強隔壁４４ａはその平面形状が五角形よりなる連続したリングで構成されている。このように２つの補強隔壁４４ａをダミー隔壁の外郭に配置することによって激しいサンド研磨で前記表示部４３に隣接した隔壁が損傷されても上下部基板４１、４２の間隔が維持できる。
【００２３】
図５には、本発明によるプラズマ表示装置のさらに他の実施の形態の斜視図が示されている。
【００２４】
図面を参考すれば、プラズマ表示装置５０は前述した実施の形態のように上下部基板５１、５２と、表示部５３と、前記上下部基板５１、５２間の間隔を維持して前記上下部基板５１、５２を支持するために前記表示部５３の外周と所定間隔離隔された位置に相互平行した複数の隔壁よりなり、前記複数の隔壁のうち少なくとも１つは一部が損傷されても、残存した部分によって前記上下部基板間の間隔を維持できる補強隔壁５４ａであるダミー隔壁５４と、シーリング手段５５とを具備する。
【００２５】
図５に示す実施の形態のダミー隔壁は表示部５３に平行して３列よりなって相互平行した隔壁に構成されており、隔壁の数は４列以上になっても構わないのは前述した通りである。前記３列の隔壁のうち表示部５３に最も隣接した隔壁が補強隔壁５４ａであり、他の２つの隔壁５４ｂが単純な長方形の隔壁であるのに比べて平面形状が四角形よりなる連続したリングで構成されている。このように一定した平面的面積を占める隔壁を形成することによって、サンド研磨過程で誘発される表示部４３と近い部分がエッチングされても五角形を形成する他の部分によってその構造的な強度が維持できて残りの２つの隔壁が損傷されるのを防止する。 
【００２６】
図６には、本発明によるプラズマ表示装置のさらに他の実施の形態の斜視図が示されている。
【００２７】
図面を参照すれば、プラズマ表示装置６０は前述した実施の形態のように上下部基板６１、６２と、表示部６３と、前記上下部基板６１、６２間の間隔を維持しつつ前記上下部基板６１、６２を支持するために前記表示部６３の外周と所定間隔離隔された位置に相互平行した複数の隔壁よりなり、前記複数の隔壁のうち少なくとも１つは一部が損傷されても残存した部分によって前記上下部基板間の間隔を維持できる補強隔壁６４ａであるダミー隔壁６４と、シーリング手段６５とを具備する。
【００２８】
図６に示す実施の形態のダミー隔壁６４は表示部６３に３列よりなって相互平行した隔壁に構成されており、隔壁の数は４列以上になっても構わない。前記３列の隔壁のうち表示部６３に最も隣接した隔壁と最も遠く離れた隔壁とが補強隔壁６４ａであって両補強隔壁６４ａの間に単純な長方形の隔壁６４ｂを含む。このような補強隔壁６４ａはその平面形状が五角形よりなる連続したリングで構成されている。このように２つの補強隔壁６４ａをダミー隔壁の外郭に配置することによって激しいサンド研磨で前記表示部６３に隣接した隔壁が損傷されても上下部基板６１、６２の間隔が維持できる。
【００２９】
前記のようなダミー隔壁は一定した閉鎖型のリングの補強隔壁を有することによって、従来の単純な長方形の隔壁ではその一部分の損傷によっていろいろな問題を起こす可能性があるのに対し、一部の損傷があっても他の部分によって荷重を支えることができる。このような補強隔壁は前記のような多角形の隔壁の他にも円形または他の多角形、すなわち六角形や菱形の隔壁を利用できる。図７と図８には、リングが菱形に形成された補強隔壁７４ａ、８４ａを有するプラズマ表示装置７０、８０を示した。補強隔壁７４ａ、８４ａ以外の部分は前述した実施の形態の場合とその構成及び機能が同一である。このようなリングの形状の選択は製造の容易性や加えられる荷重を考慮して決定できる。
【００３０】
図９に示す実施の形態のダミー隔壁は複数の折曲部９４ｄを有する２個の補強隔壁９４ａを含む。
【００３１】
図１０に示す実施の形態のダミー隔壁１０４は隣接した隔壁１０４ｂを相互連結する少なくとも１つの連結隔壁１０４ｃをさらに含む。前記隔壁１０４は前述した色々な形態の補強隔壁に代替される。
【００３２】
図１１に示す実施の形態のダミー隔壁１１４は２列の六角形の閉鎖型補強隔壁１１４ａと前記閉鎖型補強隔壁１１４ａを相互連結する連結隔壁１１４ｃとで構成されている。
【００３３】
図１２に示す実施の形態のダミー隔壁１２４は両側に配列された補強隔壁１２４ａの両端部が開放されている。それは前述した色々な形態の補強隔壁に適用できる。
【００３４】
また前記ダミー隔壁は上下基板のうちいずれか１つの基板に形成できて、前記基板のダミー隔壁を構成するそれぞれの単位隔壁の厚さは上下基板を支持する強度が維持できる範囲で薄く形成するのが有利であり、基板の幅や隔壁の形状を考慮してそれぞれの場合に合わせて選択できる。そして、前記隔壁を構成する材料の選択や形成方法は一般的に隔壁を形成する方法によって行える。
【００３５】
本発明は図面に示す実施の形態を参考として説明されたが、それは例示的なものに過ぎず、当該分野で当業者であればこれより多様な変形及び均等な他の実施の形態が可能であることが理解できるであろう。したがって、本発明の真の保護範囲は特許請求の範囲の記載に基づいて定められなければならない。
【産業上の利用可能性】
【００３６】
本発明によれば、サンド研磨剤に対する耐エッチング性が補強され、研磨剤の渦流によって一部の損傷があっても、与えられた機能が遂行できるプラズマ表示装置のダミー隔壁が提供できる
【図面の簡単な説明】
【００３７】
【図１】従来技術によるプラズマ表示装置の分離斜視図である。
【図２】従来技術によるプラズマ表示装置の斜視図である。
【図３】本発明による基板の一実施の形態を示す斜視図である。
【図４】本発明による基板の他の実施の形態を示す斜視図である。
【図５】本発明による基板のさらに他の実施の形態を示す斜視図である。
【図６】本発明による基板のさらに他の実施の形態を示す斜視図である。
【図７】本発明による基板のさらに他の実施の形態を示す斜視図である。
【図８】本発明による基板のさらに他の実施の形態を示す斜視図である。
【図９】本発明による基板のさらに他の実施の形態を示す斜視図である。
【図１０】本発明による基板のさらに他の実施の形態を示す斜視図である。
【図１１】本発明による基板のさらに他の実施の形態を示す斜視図である。
【図１２】本発明による基板のさらに他の実施の形態を示す斜視図である。
【符号の説明】
【００３８】
３０  プラズマ表示装置、
３１  上部基板、
３２  下部基板、
３３  表示部、
３４  ダミー隔壁、
３４ａ  補強隔壁、
３４ｂ  ２つの隔壁、
３５  シーリング手段。
【図１】
2004158432.tif 000003
【図２】
2004158432.tif 000004
【図３】
2004158432.tif 000005
【図４】
2004158432.tif 000006
【図５】
2004158432.tif 000007
【図６】
2004158432.tif 000008
【図７】
2004158432.tif 000009
【図８】
2004158432.tif 000010
【図９】
2004158432.tif 000011
【図１０】
2004158432.tif 000012
【図１１】
2004158432.tif 000013
【図１２】
2004158432.tif 000014